(57)【特許請求の範囲】
【請求項１】
携帯電話機が挿入されるホルダーケースと、このホルダーケース内に挿入される携帯電話機に設けられた電話機側コネクタと結合されるホルダーコネクタとを備え、かつ、互いに外面形状、上記電話機側コネクタの配設位置の少なくとも一方が異なる複数種の携帯電話機について共通して使用されるように構成された電話機ホルダーであって、上記ホルダーケースを、上記各携帯電話機に対応して具備された複数種のインナーケースと、上記ホルダーコネクタが固定され、内側に上記各インナーケースが択一的にかつ着脱可能に装着されるアウターケースとに分割し、各インナーケースの内面形状を、その内側に当該インナーケースに対応する携帯電話機が挿入されることにより当該携帯電話機がインナーケースに保持される形状とし、かつ、この挿入状態で当該携帯電話機の電話機側コネクタが上記ホルダーコネクタと結合可能となるように各インナーケースの内面位置を設定したことを特徴とする電話機ホルダー。
【請求項２】
請求項１記載の電話機ホルダーにおいて、上記携帯電話機の少なくとも一部がインナーケースの内側にほぼすき間なく嵌合されるようにインナーケースの内面形状を設定したことを特徴とする電話機ホルダー。
【請求項３】
請求項２記載の電話機ホルダーにおいて、少なくとも上記ホルダーコネクタの近傍部分で携帯電話機がインナーケースの内側にほぼすき間なく嵌合されるようにインナーケースの内面形状を設定したことを特徴とする電話機ホルダー。
【請求項４】
請求項１〜３のいずれかに記載の電話機ホルダーにおいて、上記各インナーケースの形状を、その内側に携帯電話機が当該携帯電話機の長手方向に挿入される形状とし、上記アウターケースの形状を、その内側に各インナーケースが携帯電話機長手方向に挿入される形状とし、その挿入方向奥部に上記ホルダーコネクタを固定したことを特徴とする電話機ホルダー。
【発明の詳細な説明】
【０００１】
【発明の属する技術分野】
本発明は、自動車等に設置されて携帯電話機を保持する電話機ホルダーに関するものである。
【０００２】
【従来の技術】
近来、携帯電話機の普及に伴い、自動車内での携帯電話機の使用および保管を行うための車載用電話機ホルダーの開発が進められている。このような電話機ホルダーとしては、携帯電話機を保持するための台枠状等のホルダー本体と、カールコード等を介してホルダー本体もしくは車体に取り付けられたホルダーコネクタとを備え、携帯電話機とホルダーコネクタとを接続するとともに、携帯電話機をホルダー本体に位置合わせして載置し、この状態で係止手段等により携帯電話機を保持するものが一般に知られている。
【０００３】
【発明が解決しようとする課題】
上記のような従来の電話機ホルダーでは、携帯電話機とホルダーコネクタとを接続する際の両者の位置合わせ作業が容易でなく、このような作業を自動車の運転者が運転中等に行うことは困難である。また、携帯電話機の保持状態が安定しておらず、走行中の振動等によってホルダーから携帯電話機が脱落してしまうおそれもある。
【０００４】
このような不都合を解消する手段として、ホルダー本体の内面形状を携帯電話機の外面形状と略合致させ、ホルダー本体内に携帯電話機がほぼ隙間なく嵌入されるように構成することにより、携帯電話機とホルダーコネクタとの位置合せを容易にし、かつ、携帯電話機の保持状態を安定させることが考えられる。
【０００５】
しかし、このような構成にすると、そのホルダー本体の内面形状に合った形状の携帯電話機しか保持することができないため、外面形状や電話機側コネクタの配設位置が互いに異なる複数種の携帯電話機を併用する場合（例えば、互いに異なる携帯電話機を所有する複数の者が単一の自動車を共用する場合）には、それら携帯電話機の種類数と同数種の電話機ホルダーを用意しなければならず、汎用性に欠ける。特に、ホルダー本体に固定されるホルダーコネクタは比較的高価であり、このようなホルダーコネクタを携帯電話機と同数だけ用意することは非常に不経済である。
【０００６】
さらに、複数種の電話機ホルダーを用いる場合、これらのホルダーを全て車室内等に並べて固定するか、もしくは、使用する携帯電話機に応じて電話機ホルダーを交換することが考えられるが、前者の場合には、全ホルダーを設置するために多大なスペースを要し、後者の場合にはホルダー交換の際の据付け作業及び取外し作業が非常に煩わしいという不都合がある。
【０００７】
本発明は、上記の事情に鑑み、自動車の車室等に据え付けたまま、互いに外面形状や電話機側コネクタの配設位置が異なる複数種の携帯電話機について共通して使用でき、しかも、各携帯電話機を着脱容易にかつ安定して保持することができる電話機ホルダーを提供することを目的とする。
【０００８】
【課題を解決するための手段】
上記課題を解決するための手段として、本発明は、携帯電話機が挿入されるホルダーケースと、このホルダーケース内に挿入される携帯電話機に設けられた電話機側コネクタと結合されるホルダーコネクタとを備え、かつ、互いに外面形状、上記電話機側コネクタの配設位置の少なくとも一方が異なる複数種の携帯電話機について共通して使用されるように構成された電話機ホルダーであって、上記ホルダーケースを、上記各携帯電話機に対応して具備された複数種のインナーケースと、上記ホルダーコネクタが固定され、内側に上記各インナーケースが択一的にかつ着脱可能に装着されるアウターケースとに分割し、各インナーケースの内面形状を、当該インナーケースに対応する携帯電話機が挿入されることにより当該携帯電話機がインナーケースに保持される形状とし、かつ、この挿入状態で当該携帯電話機の電話機側コネクタが上記ホルダーコネクタと結合可能となるように各インナーケースの内面位置を設定したものである。
【０００９】
上記の電話機ホルダーによれば、使用する携帯電話機に対応したインナーケースを選び出し、これをアウターケースの内側に装着した後、このインナーケースの内側に携帯電話機を挿入することにより、この携帯電話機を安定して保持し、かつ、ホルダーコネクタに確実に案内することができる。すなわち、アウターケース及びホルダーコネクタは自動車の車室等に据付け、固定したまま、そのアウターケースに装着されるインナーケースを交換するだけの作業で、使用する携帯電話機の変更に即座に対応することができる。
【００１０】
なお、上記の「携帯電話機がインナーケースに保持される形状」とは、インナーケース内に携帯電話機をほぼがたつきなく安定して保持できる程度にしっくりと挿入できればよいことを意味するものである。従って、本発明は、インナーケース内の全領域でほぼすき間なくインナーケースが挿入されるものに限られず、上記携帯電話機の一部のみが携帯電話機がインナーケースの内側にほぼすき間なく嵌合されるものであっても、これにより携帯電話機がインナーケース側に安定して保持されるのであればよい。ただし、少なくとも上記ホルダーコネクタの近傍部分で携帯電話機がインナーケースの内側にほぼすき間なく嵌合されるようにインナーケースの内面形状を設定すれば、ホルダーコネクタへの携帯電話機の案内をより確実に行うことが可能になる。
【００１１】
本発明では、上記アウターケースに対するインナーケースの装着構造や、インナーケース内への携帯電話機の挿入方向は特に問わず、ホルダーの設置場所や設置状況に応じて適宜設定すればよい。ただし、上記各インナーケースの形状を、その内側に携帯電話機が当該携帯電話機の長手方向に挿入される形状とし、上記アウターケースの形状を、その内側に各インナーケースが携帯電話機長手方向に挿入される形状とし、その挿入方向奥部に上記ホルダーコネクタを固定するようにすれば、インナーケースによる携帯電話機の保持状態、及び、アウターケースへのインナーケースの装着状態をより安定させることができる。また、インナーケースへの携帯電話機の挿入方向と、アウターケースへのインナーケースの挿入方向とが合致するため、操作性も向上する。
【００１２】
【発明の実施の形態】
本発明の第１の実施の形態を図１〜図５に基づいて説明する。
【００１３】
ここに示す電話機ホルダーは、複数種（図例では図４（ａ）〜（ｃ）に示す３種）の携帯電話機３０Ａ，３０Ｂ，３０Ｃについて共通して使用されるものであり、単一のアウターケース１０と、上記各携帯電話機３０Ａ，３０Ｂ，３０Ｃにそれぞれ対応する複数種のインナーケース２０Ａ，２０Ｂ，２０Ｃとを備えている。
【００１４】
上記各携帯電話機３０Ａ，３０Ｂ，３０Ｃの尾端には、それぞれ図４（ａ）〜（ｃ）に示すような互いに同一の電話機側コネクタ３２が配設されている。携帯電話機３０Ａ，３０Ｂを比べた場合、両者は外面形状（特に平面形状）が互いに異なっており、携帯電話機３０Ａ，３０Ｃを比べた場合、両者はコネクタの配設位置が異なっている。
【００１５】
なお、本発明は、使用する携帯電話機同士を全て比較してその外面形状のみが異なる場合や、外面形状は同一であるがコネクタ配設位置のみが異なる場合にも適用ができるものである。
【００１６】
アウターケース１０は、この実施の形態では、その長手方向両端が開口する略角筒状をなし、当該長手方向が上下を向く状態で適所（例えば自動車の車室内）に据付け、固定されるようになっており、その底部に、上記電話機側コネクタ３２と結合可能なホルダーコネクタ４０が固定されている。詳しくは、ホルダーコネクタ４０の側面（図例では４つの側面）上に、側方に開口するねじ孔をもつ筒状のナット部４２が形成される一方、アウターケースの各側壁の下部において上記各ナット部４２に対応する位置に貫通孔１２が形成されており、この貫通孔１２に外方からボルト１４を挿通し、このボルト１４の頭部がアウターケース１０の外面に接触する位置まで当該ボルト１４を上記ナット部４２内にねじ込むことにより、上記ホルダーコネクタ４０の固定が行われている。
【００１７】
ただし、本発明ではアウターケースにホルダーコネクタを固定するための具体的な構造は問わない。
【００１８】
各インナーケース２０Ａ，２０Ｂ，２０Ｃの外面形状は、上記アウターケース１０の内側に上方から嵌入可能な形状（図例では矩形状）に設定され、アウターケース１０にインナーケース２０Ａ〜２０Ｃを択一的に装着できるようになっている。図３に示すように、アウターケース１０の内側面には、前記ホルダーコネクタ４０の上面とほぼ同一の高さ位置に段部１６が形成され、この段部１６に当たるまでインナーケース２０Ａ〜２０Ｃのいずれかを挿入した状態（装着状態）で、当該インナーケースの上面とアウターケース１０の上面とがほぼ面一となるように、インナーケース２０Ａ〜２０Ｃの長さ寸法が設定されている。
【００１９】
各インナーケース２０Ａ，２０Ｂ，２０Ｃには、これを上下に貫通する携帯電話機挿入空間２２Ａ，２２Ｂ，２２Ｃがそれぞれ形成されている。各携帯電話機挿入空間２２Ａ〜２２Ｃの平面形状（すなわちインナーケース２０Ａ〜２０Ｃの内面形状）は、これら携帯電話機挿入空間２２Ａ，２２Ｂ，２２Ｃ内にそれぞれ携帯電話機３０Ａ，３０Ｂ，３０Ｃがほぼすき間なく嵌入できる形状に設定され、この携帯電話機挿入空間２２Ａ，２２Ｂ，２２Ｃの位置は、当該空間に携帯電話機３０Ａ，３０Ｂ，３０Ｃが挿入された状態でその電話機側コネクタ３２がアウターケース１０側のホルダーコネクタ４０に自動的に結合可能となる形状に設定されている。
【００２０】
すなわち、図４（ａ）〜（ｃ）と図５（ａ）〜（ｃ）とを比較参照して明らかなように、インナーケース２０Ａ，２０Ｂ，２０Ｃの上から見た内面形状（携帯電話機挿入空間２２Ａ，２２Ｂ，２２Ｃの平面形状）は、携帯電話機３０Ａ，３０Ｂ，３０Ｃを上から見た外面形状とほぼ同一の形状とされ、かつ、各携帯電話機３０Ａ，３０Ｂ，３０Ｃにおけるコネクタ配設位置の偏心量に対応して各インナーケース２０Ａ，２０Ｂ，２０Ｃにおける携帯電話機挿入空間２２Ａ，２２Ｂ，２２Ｃの偏心量が設定されている。
【００２１】
また、各携帯電話機挿入空間２２Ａ，２２Ｂ，２２Ｃの入口部分には、携帯電話機３０Ａ，３０Ｂ，３０Ｃの挿入を容易にするための外向きのテーパー面２４Ａ，２４Ｂ，２４Ｃがそれぞれ形成されている。
【００２２】
次に、この電話機ホルダーの使用要領を説明する。
【００２３】
▲１▼  アウターケース１０の底部にホルダーコネクタ４０を固定した状態で、アウターケース１０を自動車の車室等に上向きの状態で固定する。ただし、このアウターケース１０の据付けの向きは、その設置場所や設置状況に応じて適宜設定すれば良く、例えばアウターケース１０をその開口が手前を向く状態（すなわちアウターケース１０を寝かせた状態）で固定するようにしてもよい。
【００２４】
▲２▼  インナーケース２０Ａ〜２０Ｃのうちから、使用する携帯電話機に対応するインナーケースを選び出し、これをアウターケース１０内に挿着する。図１〜図３に示す例では、携帯電話機３０Ａを使用するため、これに対応するインナーケース２０Ａをアウターケース１０内に挿着する。
【００２５】
▲３▼  携帯電話機３０Ａをインナーケース２０Ａの携帯電話機挿入空間２２Ａ内に上から挿入する。この携帯電話機挿入空間２２Ａの形状及び位置は、携帯電話機３０Ａの外面形状及び電話機側コネクタ３２の配設位置に合わせて設定されているため、上記挿入作業だけで、特に位置合せを行うことなく、電話機側コネクタ３２とホルダーコネクタ４０とを簡単に結合することができる（図２及び図３の状態）。しかも、この装着状態では、インナーケース２０Ａ内に携帯電話機３０Ａがほぼすき間なく嵌入されているために、インナーケース２０Ａがきわめて安定して保持されることになる。
【００２６】
▲４▼  携帯電話機３０Ａに代え、例えば携帯電話機３０Ｂを使用したい場合には、上記アウターケース１０からインナーケース２０Ａを抜き取り、これに代えてインナーケース２０Ｂをアウターケース１０内に挿着すればよい。この状態で、インナーケース２０Ｂの携帯電話機挿入空間２２Ｂ内に携帯電話機３０Ｂを挿入することにより、前記▲３▼と同様、携帯電話機３０Ｂの電話機側コネクタ３２とホルダーコネクタ４０とを簡単に結合することができる。
【００２７】
すなわち、この電話機ホルダーによれば、アウターケース１０を自動車の車室等に据付けたままの状態で、このアウターケース１０に対してインナーケース２０Ａ〜２０Ｃのみを挿脱することにより、複数種の携帯電話機３０Ａ〜３０Ｃについて共通使用することができる。
【００２８】
なお、本発明はこのような実施形態に限定されるものではなく、例として次のような態様をとることも可能である。
【００２９】
(1) 本発明において、アウターケースに対するインナーケースの装着構造や、インナーケース内への携帯電話機の挿入方向は適宜設定すればよい。例えば、第２の実施の形態として図６に示すように、アウターケース１０に横向きに開口するインナーケース挿入空間１８を形成し、このインナーケース挿入空間１８内に、縦向きの携帯電話機挿入空間２２をもつインナーケース２０を側方から挿着するように構成してもよい。あるいは、第３の実施の形態として図７に示すように、携帯電話機が水平向きの状態で上から挿入される横置き型ホルダーにおいて、アウターケース１０に上方に開口する横長のインナーケース挿入空間１８を形成してそのすぐ側方にホルダーコネクタ４０を固定し、このホルダーコネクタ４０側及び上側に開放された携帯電話機挿入空間２２をもつインナーケース２０を上方から横向きの状態で上記インナーケース挿入空間１８内に挿着するように構成してもよい。この場合には、携帯電話機挿入空間２２内に携帯電話機を横向きの状態で上から挿入した後、この携帯電話機をインナーケース２０の内面に沿ってホルダーコネクタ４０側にスライドさせることにより、この携帯電話機の電話機側コネクタとホルダーコネクタ４０とが結合されるようにすればよい。
【００３０】
ただし、前記第１の実施の形態のように、インナーケース２０Ａ〜２０Ｃ内に携帯電話機３０Ａ〜３０Ｃがその長手方向に沿って挿入される形状とし、アウターケース１０の形状を、その内側に各インナーケース２０Ａ〜２０Ｃが携帯電話機長手方向に沿って挿入される形状とし、その挿入方向奥部に上記ホルダーコネクタ４０を固定するようにすれば、インナーケースによる携帯電話機の保持状態、及び、アウターケースへのインナーケースの装着状態をより安定させることができる利点が得られる。また、この構造では、アウターケースへのインナーケースの挿入作業、及び、インナーケースへの携帯電話機の挿入作業を同じ方向から行うことができるため、操作性にも優れている。
【００３１】
(2) 前記第１の実施の形態では、インナーケース２０Ａ〜２０Ｃの全領域にわたって携帯電話機３０Ａ〜３０Ｃがすき間なく挿入されるものを示したが、本発明では、一部で携帯電話機外面とインナーケース内面との間にすき間があるものでも、上記挿入によってインナーケースに携帯電話機が安定して保持され得るものであればよい。
【００３２】
例えば、図８に示す第４の実施の形態では、インナーケース２０の内面形状が携帯電話機３０の挿入方向（図では上下方向）全域にわたって均一であるのに対し、携帯電話機３０はその下端部断面が上端部断面よりも大きな形状となっており、携帯電話機３０の下端部はインナーケース２０内にほぼすき間なく嵌入されているのに対し、携帯電話機３０の上端部外面とインナーケース２０の上端部内面との間には比較的大きなすき間２６が残されているが、携帯電話機下端部の嵌入によって携帯電話機３０がインナーケース２０に安定して保持されていれば差し支えはない。また、第５の実施の形態として図９に示すように、インナーケース２０の内面の特定個所に内側に膨出する膨出部２７を形成し、この膨出部２７でのみ、その内側に携帯電話機３０がほぼすき間なく嵌合される（すなわち、膨出部２７以外の領域ですき間２６が残される）ようにしてもよい。
【００３３】
ただし、これら第４の実施の形態及び第５の実施の形態のように局所的にインナーケース２０と携帯電話機３０とをほぼすき間なく嵌合されるようにする場合でも、当該嵌合個所は、なるべくホルダーコネクタ４０の近傍個所に設定するのが、より好ましい。これにより、携帯電話機３０をより円滑にホルダーコネクタ４０へ案内できる利点が得られる。
【００３４】
(3) 本発明では、単一のアウターケースについて用いられるインナーケースの個数を問わず、携帯電話機の種類に応じて適宜設定すれば良い。例えばインナーケースの個数を２個としても良いし、４個以上にしてもよい。
【００３５】
【発明の効果】
以上のように本発明は、単一のアウターケースに対し、複数種の携帯電話機に各々対応するインナーケースが択一的に装着されるようにし、その装着状態でインナーケース内に携帯電話機を挿入することにより、この携帯電話機がインナーケースに保持され、かつ、携帯電話機の電話機側コネクタが上記ホルダーコネクタと結合可能となるようにしたものであるので、アウターケース及びホルダーコネクタは自動車の車室等に据付け、固定したまま、そのアウターケースに装着されるインナーケースを交換するだけの作業で、使用する携帯電話機の変更に即座に対応することができ、その携帯電話機を着脱容易にかつ安定して保持することができる効果がある。
【００３６】
ここで、少なくとも上記ホルダーコネクタの近傍部分で携帯電話機がインナーケースの内側にほぼすき間なく嵌合されるようにインナーケースの内面形状を設定すれば、当該嵌合によって携帯電話機をホルダーコネクタへより円滑に案内できる効果が得られる。
【００３７】
また、上記各インナーケースの形状を、その内側に携帯電話機が当該携帯電話機の長手方向に挿入される形状とし、上記アウターケースの形状を、その内側に各インナーケースが携帯電話機長手方向に挿入される形状とし、その挿入方向奥部に上記ホルダーコネクタを固定するようにすれば、インナーケースによる携帯電話機の保持状態、及び、アウターケースへのインナーケースの装着状態をより安定させることができるとともに、インナーケースに対して携帯電話機を挿入する方向と、アウターケースに対してインナーケースを挿入する方向とを合致させることによって、操作性を高めることができる。
【図面の簡単な説明】
【図１】本発明の第１の実施の形態にかかる電話機ホルダーにおいてインナーケース内に携帯電話機を挿入する前の状態を示す斜視図である。
【図２】上記電話機ホルダーにおいてインナーケース内に携帯電話機を挿入した状態を示す一部断面斜視図である。
【図３】上記電話機ホルダーにおいてインナーケース内に携帯電話機を挿入した状態を示す断面正面図である。
【図４】（ａ）〜（ｃ）は上記電話機ホルダーが共通して使用される携帯電話機の底面図である。
【図５】（ａ）〜（ｃ）は上記電話機ホルダーのアウターケース内にそれぞれ互いに異なるインナーケースが挿着された状態を示す平面図である。
【図６】本発明の第２の実施の形態にかかる電話機ホルダーの斜視図である。
【図７】本発明の第３の実施の形態にかかる電話機ホルダーの斜視図である。
【図８】本発明の第４の実施の形態にかかる電話機ホルダーの斜視図である。
【図９】本発明の第５の実施の形態にかかる電話機ホルダーの斜視図である。
【符号の説明】
１０  アウターケース
２０，２０Ａ，２０Ｂ，２０Ｃ  インナーケース
２２，２２Ａ，２２Ｂ，２２Ｃ  携帯電話機挿入空間
３０，３０Ａ，３０Ｂ，３０Ｃ  携帯電話機
３２  電話機側コネクタ
４０  ホルダーコネクタ
【図１】
0003659544.tif 000002
【図２】
0003659544.tif 000003
【図３】
0003659544.tif 000004
【図４】
0003659544.tif 000005
【図５】
0003659544.tif 000006
【図６】
0003659544.tif 000007
【図７】
0003659544.tif 000008
【図８】
0003659544.tif 000009
【図９】
0003659544.tif 000010